(57)【要約】【課題】関連する複数の画像を格納するフォルダをユーザが必要に応じて作成できるようにすることを目的とする。【解決手段】本発明の表示制御装置は、複数の関連した画像を撮影する特定のモードを設定可能な設定手段と、撮影手段により撮影されるライブビュー画像を表示手段に表示するように制御する表示制御手段と、撮影手段により撮影された画像をフォルダに格納するように制御する制御手段と、を有する表示制御装置であって、表示制御手段は、設定手段により特定のモードが設定された状態で撮影手段による撮影を待機している場合に、特定のモードで撮影手段により撮影される複数の関連した画像を格納するための新規のフォルダの作成を指示する指示アイテムを、ライブビュー画像に重畳して表示するように制御する。【選択図】図８
2020113913.tif 000002
【特許請求の範囲】
【請求項１】
複数の関連した画像を撮影する特定のモードを設定可能な設定手段と、
撮影手段により撮影されるライブビュー画像を表示手段に表示するように制御する表示制御手段と、
前記撮影手段により撮影された画像をフォルダに格納するように制御する制御手段と、を有する表示制御装置であって、
前記表示制御手段は、
前記設定手段により前記特定のモードが設定された状態で前記撮影手段による撮影を待機している場合に、前記特定のモードで前記撮影手段により撮影される複数の関連した画像を格納するための新規のフォルダの作成を指示する指示アイテムを、前記ライブビュー画像に重畳して表示するように制御することを特徴とする表示制御装置。
【請求項２】
前記表示制御手段は、
前記撮影手段により関連した複数の画像が撮影され、次の複数の関連した画像を撮影するために待機する状態に遷移する度に、前記指示アイテムを前記ライブビュー画像に重畳して表示するように制御することを特徴とする請求項１に記載の表示制御装置。
【請求項３】
前記表示制御手段は、
前記設定手段により前記特定のモードが設定された状態で前記撮影手段による撮影を待機している場合であっても、前記新規のフォルダを作成できない場合には前記指示アイテムを表示しない、あるいは、前記新規のフォルダを作成できないことを表示するように制御することを特徴とする請求項１または２に記載の表示制御装置。
【請求項４】
前記設定手段により前記特定のモードが設定される場合に複数の関連した画像を格納するための新規のフォルダの作成を推奨するようにユーザに通知する通知手段を有することを特徴とする請求項１ないし３の何れか１項に記載の表示制御装置。
【請求項５】
前記表示制御手段により表示された指示アイテムに対するユーザの指示を受け付ける受付手段を有し、
前記制御手段は、
前記受付手段により受け付けられたユーザの指示に応じて新規のフォルダを作成し、前記撮影手段により撮影された複数の関連した画像を、前記新規のフォルダに格納するように制御することを特徴とする請求項１ないし４の何れか１項に記載の表示制御装置。
【請求項６】
前記制御手段は、
前記設定手段により前記特定のモードが設定された状態で前記撮影手段による１回目の撮影を待機している場合に、前記指示アイテムに対するユーザの指示に応じて新規のフォルダを作成し、
前記設定手段により前記特定のモードが設定された状態で前記撮影手段による２回目の撮影を待機している場合に、前記指示アイテムに対するユーザの指示がないことに応じて新規のフォルダを作成しなかった場合には、
前記撮影手段により２回目に撮影された複数の関連した画像を、前記撮影手段により１回目の撮影を待機している場合に前記指示アイテムに対するユーザの指示に応じて作成した新規のフォルダに格納するように制御することを特徴とする請求項１ないし５の何れか１項に記載の表示制御装置。
【請求項７】
前記制御手段は、
前記設定手段により前記特定のモードの設定が解除された場合に、前記撮影手段により新たに撮影される画像を格納する新規のフォルダを作成することを特徴とする請求項１ないし６の何れか１項に記載の表示制御装置。
【請求項８】
前記制御手段は、
ユーザの指示に応じて、フォルダに格納された複数の関連した画像をまとめて削除するように制御することを特徴とする請求項１ないし７の何れか１項に記載の表示制御装置。
【請求項９】
前記表示制御手段は、
ユーザによるフォルダごとの画像送りの指示に応じて、フォルダに格納された複数の関連した画像のうち先頭または後尾の画像を表示するように制御することを特徴とする請求項１ないし８の何れか１項に記載の表示制御装置。
【請求項１０】
前記特定のモードは、
後工程で複数の関連した画像を合成するために撮影するモードであることを特徴とする請求項１ないし９の何れか１項に記載の表示制御装置。
【請求項１１】
前記特定のモードは、
焦点が合った位置を撮影開始時の位置からずらして撮影するモードであることを特徴とする請求項１ないし１０の何れか１項に記載の表示制御装置。
【請求項１２】
前記特定のモードは、
パノラマ画像を撮影するモードであることを特徴とする請求項１ないし１０の何れか１項に記載の表示制御装置。
【請求項１３】
前記特定のモードは、
連続撮影するモードであることを特徴とする請求項１ないし９の何れか１項に記載の表示制御装置。
【請求項１４】
複数の関連した画像を撮影する特定のモードを設定可能な設定ステップと、
撮影手段により撮影されるライブビュー画像を表示手段に表示するように制御する表示制御ステップと、
前記撮影手段により撮影された画像をフォルダに格納するように制御する制御ステップと、を有する表示制御装置の制御方法であって、
前記表示制御ステップでは、
前記設定ステップにより前記特定のモードが設定された状態で前記撮影手段による撮影を待機している場合に、前記特定のモードで前記撮影手段により撮影される複数の関連した画像を格納するための新規のフォルダの作成を指示する指示アイテムを、前記ライブビュー画像に重畳して表示するように制御することを特徴とする制御方法。
【請求項１５】
コンピュータを、請求項１ないし１３の何れか１項に記載された表示制御装置の各手段として機能させるためのプログラム。
【請求項１６】
コンピュータを、請求項１ないし１３の何れか１項に記載された表示制御装置の各手段として機能させるためのプログラムを格納したコンピュータが読み取り可能な記録媒体。
【発明の詳細な説明】
【技術分野】
【０００１】
本発明は、表示制御装置、その制御方法、プログラムおよび記録媒体に関するものである。
【背景技術】
【０００２】
デジタルカメラ等の撮影装置では撮影した画像をフォルダに格納して管理している。特許文献１には、予めフォルダ作成条件を設定しておくことで、例えば日時変化が生じた場合に新規フォルダを作成して、次に撮影された画像を新規フォルダに保存する画像処理装置が開示されている。
連続撮影やフォーカスブラケット撮影等により関連する複数の画像を撮影する場合には一度に何枚も同一の被写体を撮影することから、フォルダ単位で画像を管理し、後にまとめて画像を削除したり保存したりすることが望まれる。
【先行技術文献】
【特許文献】
【０００３】
【特許文献１】特開２００７−２７９９５号公報
【発明の概要】
【発明が解決しようとする課題】
【０００４】
一方、連続撮影やフォーカスブラケット撮影等において１回の撮影の度にフォルダが作成されてしまうと作成できるフォルダの上限にすぐに達してしまう虞がある。また、フォーカスブラケット撮影ではユーザはピントをずらす幅を変えて撮影し、撮影された画像を見て再調整を行うトライアンドエラーが主である。したがって、試しに行った複数回のフォーカスブラケット撮影による画像と、記録として残すためのフォーカスブラケット撮影による画像とを格納するフォルダを分けたいという要望がある。
本発明は、上述したような問題点に鑑みてなされたものであり、関連する複数の画像を格納するフォルダをユーザが必要に応じて作成できるようにすることを目的とする。
【課題を解決するための手段】
【０００５】
本発明は、複数の関連した画像を撮影する特定のモードを設定可能な設定手段と、撮影手段により撮影されるライブビュー画像を表示手段に表示するように制御する表示制御手段と、前記撮影手段により撮影された画像をフォルダに格納するように制御する制御手段と、を有する表示制御装置であって、前記表示制御手段は、前記設定手段により前記特定のモードが設定された状態で前記撮影手段による撮影を待機している場合に、前記特定のモードで前記撮影手段により撮影される複数の関連した画像を格納するための新規のフォルダの作成を指示する指示アイテムを、前記ライブビュー画像に重畳して表示するように制御することを特徴とする。
【発明の効果】
【０００６】
本発明によれば、関連する複数の画像を格納するフォルダをユーザが必要に応じて作成することができる。
【図面の簡単な説明】
【０００７】
【図１】カメラの外観構成の一例を示す図である。
【図２】カメラの内部構成の一例を示す図である。
【図３】フォーカスブラケット撮影モードの設定画面の一例を示す図である。
【図４】フォーカスブラケット撮影の概要を説明するための図である。
【図５】ファイル検索処理の一例を示すフローチャートである。
【図６】フォルダ作成のメニュー画面の一例を示す図である。
【図７】格納先フォルダ決定処理の一例を示すフローチャートである。
【図８】フォルダ作成処理の一例を示すフローチャートである。
【図９】撮影待機状態の表示画面の一例を示す図である。
【発明を実施するための形態】
【０００８】
以下、図面を参照して本発明の好適な実施形態について説明する。本実施形態では、表示制御装置がデジタルカメラ（撮像装置）である場合を例にして説明する。
図１は、デジタルカメラ１００（以下、カメラ１００という）を背面側から見た外観構成の一例を示す図である。
【０００９】
表示部１０１は、画像や各種情報を表示する。表示部１０１は表示手段の一例に対応する。シャッターボタン１０２は、ユーザが撮影指示を行うための操作部である。モード切替スイッチ１０３は、各種モードを切替えるための操作部である。コネクタ１０４は、外部機器と接続するための接続ケーブル１０５を繋げるための接続部である。
【００１０】
操作部１０６は、ユーザからの各種操作を受け付ける。操作部１０６には、各種スイッチ、ボタン、コントローラホイール１０７、タッチパネル１０８等の操作部材が含まれる。操作部１０６は受付手段の一例に対応する。
電源スイッチ１０９は、電源オン、電源オフを切替えるためのスイッチである。
記録媒体１１０は、メモリカードやハードディスク等である。記録媒体スロット１１１は記録媒体１１０を収容する。記録媒体スロット１１１に収容された記録媒体１１０は、カメラ１００との間で通信が可能であり、撮影した画像を記録したり、画像を再生したりすることが可能となる。記録媒体スロット１１１は蓋１１２によって閉塞される。図１では、蓋１１２を開けて記録媒体スロット１１１から記録媒体１１０を取り出して、一部を露出させた状態を示している。
【００１１】
図２は、カメラ１００の内部構成の一例を示す図である。なお、図１と同一の構成は、同一符号を付して、説明を適宜、省略する。
撮影レンズ２００は、ズームレンズ、フォーカスレンズを含むレンズ群である。シャッター２０１はフォーカルプレーンシャッタである。撮像部２０２は、光学像を電気信号に変換するＣＣＤやＣＭＯＳ素子等で構成される撮像素子である。撮像部２０２は撮影手段の一例に対応する。Ａ／Ｄ変換器２０３は、撮像部２０２から出力されるアナログ信号をデジタル信号に変換する。バリア２０４は、カメラ１００の撮影レンズ２００を含む撮像系を覆うことにより、撮影レンズ２００、シャッター２０１、撮像部２０２を含む撮像系の汚れや破損を防止する。
【００１２】
画像処理部２０５は、システム制御部５０による制御に基づいて各種の画像処理を行う。すなわち、画像処理部２０５は、Ａ／Ｄ変換器２０３からの画像データまたはメモリ制御部２０８からの画像データに対し所定の画素補間、縮小といったリサイズ処理や色変換処理を行う。また、画像処理部２０５は、撮影された画像データを用いて所定の演算処理が行い、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理が行われる。更に、画像処理部２０５は、撮影された画像データを用いて所定の演算処理を行い、得られた演算結果に基づいてＴＴＬ方式のＡＷＢ（オートホワイトバランス）処理を行う。
また、画像処理部２０５は、画像合成部２０６、画像解析部２０７を有する。画像合成部２０６は複数枚の画像を合成する処理を行う。画像解析部２０７は、画像処理部２０５に入力された画像データの解析を行う。具体的に、画像解析部２０７は画像に含まれる人物等の特定の被写体を検出する。
【００１３】
Ａ／Ｄ変換器２０３からの画像データは、画像処理部２０５およびメモリ制御部２０８を介して、または、メモリ制御部２０８を介してメモリ２０９に直接、書き込まれる。メモリ２０９は、撮像部２０２によって得られＡ／Ｄ変換器２０３によりデジタルデータに変換された画像データや、表示部１０１に表示するための画像データを格納する。メモリ２０９は、所定枚数の静止画像や所定時間の動画像および音声を格納するのに十分な記憶容量を備えている。また、メモリ２０９は画像表示用のメモリ（ビデオメモリ）を兼ねている。
【００１４】
Ｄ／Ａ変換器２１０は、メモリ２０９に格納されている表示用の画像データをアナログ信号に変換して表示部１０１に供給する。したがって、メモリ２０９に書き込まれた表示用の画像データは、Ｄ／Ａ変換器２１０を介して表示部１０１により表示される。表示部１０１は、ＬＣＤ等の表示器上にＤ／Ａ変換器２１０からのアナログ信号に応じた表示を行う。Ａ／Ｄ変換器２０３によって一度Ａ／Ｄ変換されメモリ２０９に蓄積されたデジタル信号をＤ／Ａ変換器２１０においてアナログ変換し、表示部１０１に逐次転送して表示することでライブビュー画像が表示され、電子ビューファインダとして機能する。
【００１５】
不揮発性メモリ２１１は、電気的に消去・記録可能なメモリであり、例えばＥＥＰＲＯＭ等が用いられる。不揮発性メモリ２１１には、システム制御部５０の動作用の定数、プログラム等が格納される。このプログラムは、本実施形態の後述する各種フローチャートを実行するためのプログラムである。
【００１６】
システム制御部５０は、少なくとも１つのプロセッサーまたは回路を有し、カメラ１００全体を制御する。システム制御部５０は、設定手段、表示制御手段、制御手段および通知手段の一例に対応する。システム制御部５０は不揮発性メモリ２１１に格納されたプログラムを実行することで、後述する本実施形態の各処理を実現する。また、システム制御部５０はメモリ２０９、Ｄ／Ａ変換器２１０、表示部１０１等を制御することにより表示制御も行う。
システムメモリ２１２は、例えばＲＡＭが用いられる。システムメモリ２１２は、システム制御部５０の動作用の定数、変数、不揮発性メモリ２１１から読み出したプログラム等を展開する。システムタイマ２１３は各種制御に用いる時間や、内蔵された時計の時間を計測する計時部である。
【００１７】
モード切替スイッチ１０３、第１シャッタースイッチ２１４、第２シャッタースイッチ２１５、操作部１０６は、システム制御部５０に各種の動作指示を入力するための操作手段である。
モード切替スイッチ１０３は、動作モードを静止画撮影モード、動画撮影モード、再生モード等の何れかに切替える。システム制御部５０は、モード切替スイッチ１０３により切替えられた動作モードを設定する。静止画撮影モードに含まれるモードには、オート撮影モード、オートシーン判別モード、マニュアルモード、撮影シーン別の撮影設定となる各種シーンモード、プログラムＡＥモード、広角画像合成モード、カスタムモード、フォーカスブラケット撮影モード、パノラマ撮影モード、連続撮影モード等がある。ユーザは、モード切替スイッチ１０３により静止画撮影モードに含まれるモードの何れかに直接、切替えられる。あるいは、モード切替スイッチ１０３で静止画撮影モードに一旦、切替えた後に静止画撮影モードに含まれるモードの何れかに、他の操作部材を用いて切替えてもよい。なお、動画撮影モードにも同様に複数のモードが含まれていてもよい。
【００１８】
第１シャッタースイッチ２１４は、シャッターボタン１０２の操作途中、いわゆる半押し（撮影準備指示）でオンとなり第１シャッタースイッチ信号ＳＷ１を発生する。システム制御部５０は、第１シャッタースイッチ信号ＳＷ１により、ＡＦ処理、ＡＥ処理、ＡＷＢ処理等の動作を開始する。
第２シャッタースイッチ２１５は、シャッターボタン１０２の操作完了、いわゆる全押し（撮影指示）でオンとなり、第２シャッタースイッチ信号ＳＷ２を発生する。システム制御部５０は、第２シャッタースイッチ信号ＳＷ２により、撮像部２０２からの信号読み出しから記録媒体１１０に画像データを書き込むまでの一連の撮影処理の動作を開始する。なお、第２シャッタースイッチ信号ＳＷ２を検知して撮影開始するが、設定に応じてシャッター２０１を動作させるか切替えてもよい。
【００１９】
操作部１０６の各操作部材は、表示部１０１に表示される種々の機能アイコンを選択操作すること等により、場面ごとに適宜機能が割り当てられ、各種機能ボタンとして作用する。機能ボタンとしては、例えば、終了ボタン、戻るボタン、画像送りボタン、ジャンプボタン、絞込みボタン、属性変更ボタン等がある。例えば、メニューボタンが押下されると各種の設定可能なメニュー画面が表示部１０１に表示される。ユーザは表示部１０１に表示されたメニュー画面と、上下左右の４方向ボタンやＳＥＴボタンとを用いて直感的に各種設定を行うことができる。
【００２０】
操作部１０６には、コントローラホイール１０７が含まれる。コントローラホイール１０７は、回転操作可能な操作部材であり、上下左右方向ボタンと共に設定項目を指示するとき等に使用される。
コントローラホイール１０７が回転操作されると、操作量に応じて電気的なパルス信号が発生する。システム制御部５０は、発生したパルス信号に基づいてカメラ１００の各部を制御する。すなわち、システム制御部５０は、発生したパルス信号によって、コントローラホイール１０７が回転操作された角度や回転数等を判定することができる。なお、コントローラホイール１０７は、回転操作が検出できる操作部材であればどのようなものでもよい。例えば、ユーザの回転操作に応じてコントローラホイール１０７自体が回転してパルス信号を発生するダイヤル操作部材であってもよい。また、タッチセンサよりなる操作部材で、コントローラホイール１０７自体は回転せず、コントローラホイール１０７上でのユーザの指の回転動作等を検出する、いわゆるタッチホイールであってもよい。
【００２１】
また、操作部１０６には、タッチパネル１０８が含まれる。タッチパネル１０８は、表示部１０１に対する接触を検出する。タッチパネル１０８と表示部１０１とは一体的に構成することができる。例えば、光の透過率が表示部１０１の表示を妨げないように、タッチパネル１０８を表示部１０１の表示面の上層に取り付ける。そして、タッチパネル１０８における入力座標と、表示部１０１上の表示座標とを対応付けることで、あたかもユーザが表示部１０１上に表示された画面を直接的に操作可能であるかのようなＧＵＩを構成することができる。タッチパネル１０８には、抵抗膜方式や静電容量方式、表面弾性波方式、赤外線方式、電磁誘導方式、画像認識方式、光センサ方式等の様々な方式のうち何れかの方式を用いることができる。方式によって、タッチパネル１０８に対する接触があったことでタッチがあったと検出する方式や、タッチパネル１０８に対する指やペンの接近があったことでタッチがあったと検出する方式があるが、何れの方式であってもよい。
【００２２】
電源制御部２１６は、電池検出回路、ＤＣ−ＤＣコンバータ、通電するブロックを切替えるスイッチ回路等により構成され、電池の装着の有無、電池の種類、電池残量の検出を行う。また、電源制御部２１６は、検出結果およびシステム制御部５０の指示に基づいてＤＣ−ＤＣコンバータを制御し、必要な電圧を必要な期間、記録媒体１１０を含む各部へ供給する。電源部２１７は、アルカリ電池やリチウム電池等の一次電池やＮｉＣｄ電池やＮｉＭＨ電池、Ｌｉ電池等の二次電池、ＡＣアダプター等からなる。記録媒体Ｉ／Ｆ２１８は、記録媒体１１０とのインターフェースである。記録媒体１１０は、半導体メモリ、光ディスク、磁気ディスク等から構成される。
【００２３】
姿勢検知部２１９は、重力方向に対するカメラ１００の姿勢を検知する。システム制御部５０は、姿勢検知部２１９による検出結果からカメラ１００の角度と移動量を算出する。例えば、姿勢検知部２１９による検出結果が角速度の場合には、システム制御部５０は、それぞれ積分することで角度と位置を算出する。姿勢検知部２１９は、ジャイロセンサや加速度センサ等から構成される。
ストロボ２２０は、被写界が暗い場合等に撮影指示に応じて発光し、光量不足を補う。
【００２４】
次に、カメラ１００によるフォーカスブラケット撮影について説明する。
フォーカスブラケット撮影とは、焦点が合った位置を撮影開始時の位置からずらして撮影する方法である。フォーカスブラケット撮影によって、１回の撮影指示で焦点位置が異なる複数の画像を撮影することができる。焦点位置が異なる複数の画像は後工程で合成されることで、画像全体に焦点が合った全焦点画像が生成される。なお、フォーカスブラケット撮影により撮影された複数の画像は、関連する複数の画像の一例に対応する。
【００２５】
まず、フォーカスブラケット撮影をすることができるフォーカスブラケット撮影モードに設定する場合について説明する。ここで、フォーカスブラケット撮影モードは、特定のモードの一例に対応する。ユーザが操作部１０６を操作することで、システム制御部５０は表示部１０１にフォーカスブラケット撮影モードのメイン設定画面を表示する。
【００２６】
図３（ａ）は、フォーカスブラケット撮影モードのメイン設定画面３００の一例を示す図である。メイン設定画面３００には、設定項目３０１〜設定項目３０３が表示される。ユーザは設定項目３０１〜３０３のうち設定したい設定項目を選択してＳＥＴボタンを押下することで画面が遷移する。
【００２７】
図３（ｂ）は、メイン設定画面３００の設定項目３０１が選択されることで遷移して表示される詳細設定画面３１０の一例を示す図である。詳細設定画面３１０では、フォーカスブラケット撮影モードを設定するか否かを選択することができる。システム制御部５０は、ユーザがフォーカスブラケット撮影「する」を選択することでフォーカスブラケット撮影モードをオンに設定し、ユーザがフォーカスブラケット撮影「しない」を選択することでフォーカスブラケット撮影モードをオフに設定する。また、システム制御部５０は、ユーザがフォーカスブラケット撮影「する」を選択することに応じて、ユーザに対して新規のフォルダを作成することを推奨するガイダンス３１１を表示して通知する。
【００２８】
図３（ｃ）は、メイン設定画面３００の設定項目３０２が選択されることで遷移して表示される詳細設定画面３２０の一例を示す図である。詳細設定画面３２０では、フォーカスブラケット撮影モードでの撮影枚数を設定することができる。ここでは、ユーザが任意の撮影枚数を設定することができる。システム制御部５０はユーザによるフォーカスブラケット撮影の指示に応じて、設定された撮影枚数の画像を撮影する。
【００２９】
図３（ｄ）は、メイン設定画面３００の設定項目３０３が選択されることで遷移して表示される詳細設定画面３３０の一例を示す図である。詳細設定画面３３０では、ステップ幅を設定することができる。ステップ幅とは、１回のフォーカスブラケット撮影において撮影ごとにピントをずらす幅、すなわち焦点移動量（デフォーカス量）である。システム制御部５０はユーザによるフォーカスブラケット撮影の指示に応じて、設定された撮影枚数に到るまで撮影ごとに設定されたステップ幅だけピントをずらして画像を撮影する。
【００３０】
図４は、フォーカスブラケット撮影の概要を説明するための図である。
図４に示す水平方向に間隔を空けて付された各数字４０１は、図３（ｃ）の詳細設定画面３２０で設定された撮影枚数に相当する。ここでは、撮影枚数として１１枚が設定された場合の例を示している。図４に示す水平方向の間隔４０２は、図３（ｄ）の詳細設定画面３３０で設定されたステップ幅に相当する。
システム制御部５０は、ユーザによるフォーカスブラケット撮影の指示、すなわちシャッターボタン１０２の押下に応じて撮影を開始する。システム制御部５０は、焦点が合った位置を撮影開始時の位置から設定されたステップ幅ずらしながら設定された撮影枚数に到るまで撮影する。このとき、システム制御部５０は撮影枚数の１枚ごとに適切な絞り値およびシャッタースピードに設定して撮影する。このようにして、１回の撮影指示で焦点位置が異なる複数の画像を撮影することができる。システム制御部５０は、撮影した複数の画像を記録媒体１１０に記録することで、フォーカスブラケット撮影が完了する。
なお、ユーザが撮影枚数およびステップ幅を設定する場合に限られず、システム制御部５０は自らあるいは画像解析部２０７により解析した撮影状況に基づいて、撮影枚数およびステップ幅を設定してもよい。
【００３１】
次に、フォーカスブラケット撮影により得られた画像を合成して全焦点画像を生成する画像合成処理について説明する。画像合成処理は、フォーカスブラケット撮影の後工程において画像合成部２０６が行う。ここでは、画像合成部２０６はフォーカスブラケット撮影が終了した後、ユーザによる全焦点画像を生成する指示に応じて処理を開始するが、フォーカスブラケット撮影が終了した直後に処理を開始してもよい。
【００３２】
画像合成部２０６は、焦点位置が至近な画像から無限遠に向かって先に撮影した画像を記録媒体１１０から順次、読み出す。次に、画像合成部２０６は、読み出した複数の画像において最も先鋭度が高い画像、すなわち最も焦点の合った画像の画素値を選択して、合成することにより、最終画像として画面内のどの位置でも先鋭度が高い画像である全焦点画像を得ることができる。
【００３３】
具体的に、画像合成部２０６は合成処理として、加算合成処理、加重加算合成処理、比較明合成処理、比較暗合成処理の４つの処理が可能である。合成前の画像のそれぞれの画素値をＩ＿ｉ（ｘ，ｙ）（ｉ＝１〜Ｎ，ｘ，ｙは画面内の座標を表す）、それらのＮ枚の画像の合成後の画像の画素値をＩ（ｘ，ｙ）とする。ここで画素値としては、画像処理部２０５から出力されるベイヤー配列のＲ、Ｇ１、Ｇ２、Ｂの各信号の値であってもよく、Ｒ、Ｇ１、Ｇ２、Ｂの信号のグループから得られる輝度信号の値（輝度値）であってもよい。更に、ベイヤー配列の信号を、画素毎にＲ、Ｇ、Ｂの信号が存在するように補間処理してから画素毎に輝度値を算出してもよい。輝度値の演算式としては例えば、輝度値をＹとすると、Ｙ＝０．３×Ｒ＋０．５９×Ｇ＋０．１１×ＢというようにＲ、Ｇ、Ｂの信号を加重加算して算出する方法が挙げられる。複数の画像データ間で必要に応じて位置合わせ等の処理を行い、対応づけられた各画素値について、各処理は下記の式に従って行われる。
【００３４】
すなわち、加算合成処理は、
Ｉ（ｘ，ｙ）＝Ｉ＿１（ｘ，ｙ）＋Ｉ＿２（ｘ，ｙ）＋・・・＋Ｉ＿Ｎ（ｘ，ｙ）
で表され、画素別にＮ枚の画像の画素値の加算処理がなされたものが合成画像データとなる。
加重加算合成処理は、ａｋを重み付け係数として、
Ｉ（ｘ，ｙ）＝（ａ１×Ｉ＿１（ｘ，ｙ）＋ａ２×Ｉ＿２（ｘ，ｙ）＋・・・＋ａＮ×Ｉ＿Ｎ（ｘ，ｙ））／Ｎ
で表され、画素別にＮ枚の画像の画素値の加重加算処理がなされたものが合成画像データとなる。
比較明合成処理は、
Ｉ（ｘ，ｙ）＝
ｍａｘ（Ｉ＿１（ｘ，ｙ），Ｉ＿２（ｘ，ｙ），・・・，Ｉ＿Ｎ（ｘ，ｙ））
で表され、画素別にＮ枚の画像の画素値の最大値が選択されたものが合成画像データとなる。
比較暗合成処理は、
Ｉ（ｘ，ｙ）＝
ｍｉｎ（Ｉ＿１（ｘ，ｙ），Ｉ＿２（ｘ，ｙ），・・・，Ｉ＿Ｎ（ｘ，ｙ））
で表され、画素別にＮ枚の画像の画素値の最小値が選択されたものが合成画像データとなる。
【００３５】
次に、フォーカスブラケット撮影により得られた複数の画像をフォルダで管理する場合について説明する。ここでは、まず、フォーカスブラケット撮影に限られず、新規で撮影された画像をフォルダで管理する場合の前提となる処理について、図５〜図７を参照して説明する。
図５は、記録媒体１１０内に記録されているファイルを検索するファイル検索処理の一例を示すフローチャートである。このファイル検索処理は、新規で撮影した画像を格納するフォルダを確定するために必要な処理である。
図５のフローチャートは、カメラ１００が電源オンされることにより開始される。また、図５のフローチャートにおける各処理は、システム制御部５０が不揮発性メモリ２１１に格納されたプログラムをシステムメモリ２１２に展開して実行することにより実現される。
【００３６】
Ｓ５０１では、システム制御部５０は記録媒体１１０内に記録された最終画像が確定済みであるか否かを判定する。最終画像が確定済みである場合にはＳ５１１に進み、そうではない場合にはＳ５０２に進む。
Ｓ５０２では、システム制御部５０は記録媒体１１０からルートディレクトリエントリを読み出す。
【００３７】
Ｓ５０３では、システム制御部５０は読み出したルートディレクトリエントリを解析して、“／ＤＣＩＭ”フォルダ（ディレクトリ）が存在するか否かを判定する。“／ＤＣＩＭ”フォルダが存在する場合にはＳ５０４に進み、“／ＤＣＩＭ”フォルダが存在しない場合には記録媒体１１０に画像は記録されていないとして処理を終了する。
Ｓ５０４では、システム制御部５０は“／ＤＣＩＭ”のディレクトリエントリを読み出す。
【００３８】
Ｓ５０５では、システム制御部５０は検索フォルダ番号（ＤｉｒＮｕｍ）をＤＣＦ規格における最大数である９９９に、ファイル数を示す変数（ＦｉｌｅＮｕｍ）を０に設定する。
Ｓ５０６では、システム制御部５０は対応するフォルダが存在するか否かを判定する。具体的には、システム制御部５０は記録媒体１１０に［／ＤＣＩＭ／"ＤｉｒＮｕｍＸＸＸＸＸ"］が存在するか否かを判定する。ここで、フォルダ名において（ＤｉｒＮｕｍ）は変数ＤｉｒＮｕｍの値、すなわちＤＣＦディレクトリ番号（９９９〜１００）であり、Ｘは任意のＡＳＣＩＩ半角英数字である。対応するフォルダが存在する場合にはＳ５０７に進み、そうではない場合にはＳ５１２に進む。
【００３９】
Ｓ５０７では、システム制御部５０は対応するフォルダのディレクトリエントリを読み出す。
Ｓ５０８では、システム制御部５０は再生可能なファイルが存在するか否かを判定する。再生可能なファイルが存在する場合にはＳ５０９に進み、そうではない場合にはＳ５１２に進む。
【００４０】
Ｓ５０９では、システム制御部５０は再生可能なファイルのうちＤＣＦファイル番号の一番大きいファイルを最終画像として決定する。ＤＣＦファイル番号は、ＤＣＦファイル名（８文字）のうち下位４文字を構成する”０００１〜９９９９”の番号である。
Ｓ５１０では、システム制御部５０は最終画像のＤＣＦファイル番号を変数ＦｉｌｅＮｕｍに設定する。
【００４１】
Ｓ５１１では、システム制御部５０は最終画像関連情報をシステムメモリ２１２に記憶する。最終画像関連情報には、最終画像の存在するフォルダのＤＣＦディレクトリ番号（ＤｉｒＮｕｍ）、フォルダに存在する総画像数、最終画像のＤＣＦファイル番号（ＦｉｌｅＮｕｍ）、撮影時刻およびタイムスタンプ等が含まれる。
なお、Ｓ５０１からＳ５１１に進む場合、システム制御部５０は確定済みのＤＣＦディレクトリ番号（ＤｉｒＮｕｍ）およびＤＣＦファイル番号（ＦｉｌｅＮｕｍ）を最終画像関連情報としてシステムメモリ２１２に記憶する。Ｓ５０１にて最終画像が確定済みと判定されるのは、例えば前回のファイル検索処理において最終画像のＤＣＦディレクトリ番号（ＤｉｒＮｕｍ）およびＤＣＦファイル番号（ＦｉｌｅＮｕｍ）等を既に検索している場合等である。
【００４２】
一方、Ｓ５０６からＳ５１２に進んだ場合、システム制御部５０はＤＣＦディレクトリ番号（ＤｉｒＮｕｍ）が最小値（＝１００）に達したか否かを判定する。ＤｉｒＮｕｍの値が最小値である場合にはＳ５１１に進む。ＤｉｒＮｕｍの値が最小値よりも大きい場合にはＳ５１３に進む。
Ｓ５１３では、システム制御部５０はＤＣＦディレクトリ番号（ＤｉｒＮｕｍ）の値を１デクリメントしてＳ５０６に戻り、次のフォルダを検索する。
【００４３】
システム制御部５０は、上述したファイル検索処理で検索した最終画像のＤＣＦディレクトリ番号およびＤＣＦファイル番号に基づいて、新規の画像における格納先のフォルダおよびファイル名を決定する。
なお、図５のフローチャートでは、ＤＣＦ規格上のＤＣＦファイル番号の一番大きいファイルを最終画像として検索したが、この場合に限られない。例えば、ＤＣＦ規格上の特定ＤＣＦディレクトリ内の最終画像、記録媒体１１０上の記録順による最終ファイル等を最終画像としてもよい。
【００４４】
次に、撮影時に新規のフォルダを作成して、撮影した画像を格納するフォルダを決定する方法について図６、図７を参照して説明する。図６は、通常の撮影時にユーザが新規のフォルダを作成する方法について説明するための図である。ユーザが操作部１０６を操作することで、システム制御部５０は表示部１０１にフォルダ作成のメニュー画面６００を表示する。
図６（ａ）は、フォルダを新規で作成するためのメニュー画面６００の一例を示す図である。メニュー画面６００には、フォルダ作成の選択項目６０１が表示される。ユーザは選択項目６０１を選択してＳＥＴボタンを押下することで画面が遷移する。
図６（ｂ）は、メニュー画面６００の選択項目６０１が選択されることで遷移して表示される確認画面６１０の一例を示す図である。確認画面６１０には、新規に作成されるフォルダのＤＣＦディレクトリ番号を表示したメッセージ６１１が表示される。システム制御部５０は、ユーザによるＯＫを押下するフォルダ作成指示に応じて、新規のフォルダを作成する。
【００４５】
次に、格納先のフォルダを決定する格納先フォルダ決定処理について図７を参照して説明する。図７のフローチャートは、例えば、上述した図６（ｂ）の確認画面６１０が表示されることで開始される。また、図７のフローチャートにおける各処理は、システム制御部５０が不揮発性メモリ２１１に格納されたプログラムをシステムメモリ２１２に展開して実行することにより実現される。
【００４６】
Ｓ７０１では、システム制御部５０はフォルダ作成指示があるか否かを判定する。ここで、フォルダ作成指示は、上述した図６（ｂ）に示す確認画面６１０において、ユーザがＯＫボタンを押下する場合に相当する。ただし、フォルダ作成指示は、ユーザにより指示に限られず、最終画像関連情報に含まれる撮影時刻の日付が現在の日付と異なっている場合にシステム制御部５０自身による指示であってもよい。フォルダ作成指示があった場合にはＳ７０２に進み、そうではない場合にはＳ７０３に進む。
Ｓ７０２では、システム制御部５０はフォルダ作成フラグをセットする。具体的には、システム制御部５０はシステムメモリ２１２にフォルダ作成フラグを記憶する。
Ｓ７０３では、システム制御部５０はフォルダ作成フラグをクリアする。具体的には、システム制御部５０はシステムメモリ２１２にフォルダ作成フラグが記憶されている場合にフォルダ作成フラグを消去する。
【００４７】
Ｓ７０４では、システム制御部５０はフォルダ作成フラグがセットされているか否かを判定する。具体的には、システム制御部５０はシステムメモリ２１２にフォルダ作成フラグが記憶されているか否かを判定する。フォルダ作成フラグがセットされていない場合にはＳ７０５に進み、フォルダ作成フラグがセットされている場合にはＳ７０６に進む。
Ｓ７０５では、システム制御部５０は新規に撮影された画像を格納する既存フォルダおよびファイル名を決定する。具体的には、システム制御部５０は最終画像関連情報に含まれるＤＣＦディレクトリ番号（ＤｉｒＮｕｍ）を持つ既存フォルダを格納先のフォルダに決定する。また、システム制御部５０は最終画像関連情報に含まれるＤＣＦファイル番号（ＦｉｌｅＮｕｍ）に続く次の番号を画像のファイル名に決定する。
【００４８】
Ｓ７０６では、システム制御部５０は新規のフォルダを作成する。システム制御部５０は作成した新規のフォルダのＤＣＦディレクトリ番号を、最終画像関連情報に含まれるＤＣＦディレクトリ番号（ＤｉｒＮｕｍ）に１を加算した値に決定する。
Ｓ７０７では、システム制御部５０はフォルダ作成フラグをクリアする。具体的には、システム制御部５０はシステムメモリ２１２に記憶されているフォルダ作成フラグを消去する。このようにフォルダ作成フラグをクリアすることにより、重複してフォルダを作成することを防止できる。また、システム制御部５０はフォルダ作成フラグを参照することにより、新規のフォルダが既に作成されフォルダ作成指示がクリアされたことを認識することができる。
【００４９】
Ｓ７０８では、システム制御部５０は新規に撮影された画像を格納するフォルダおよびファイル名を決定する。具体的には、システム制御部５０はＳ７０６で作成した新規のフォルダを格納先フォルダに決定する。また、システム制御部５０はＤＣＦファイル番号を”０００１”にしたファイル名に決定する。
【００５０】
次に、フォーカスブラケット撮影により得られた複数の画像を格納するフォルダを必要に応じて作成するフォルダ作成処理の一例について図８を参照して説明する。
図８のフローチャートは、ユーザがモード切替スイッチ１０３により静止画撮影モードに切替えられることにより開始される。また、図８のフローチャートにおける各処理は、システム制御部５０が不揮発性メモリ２１１に格納されたプログラムをシステムメモリ２１２に展開して実行することにより実現される。
【００５１】
Ｓ８０１では、システム制御部５０は撮影待機状態に遷移したか否かを判定する。撮影待機状態に遷移した場合にはＳ８０２に進み、そうではない場合には撮影待機状態に遷移するのを待機する。なお、システム制御部５０は撮影待機状態において表示部１０１にライブビュー画像を表示する。
Ｓ８０２では、システム制御部５０はフォーカスブラケット撮影モードがオンに設定されているか否かを判定する。具体的に、システム制御部５０はユーザが図３（ｂ）に示す詳細設定画面３１０からフォーカスブラケット撮影「する」を選択して、フォーカスブラケット撮影モードをオンに設定しているか否かを判定する。フォーカスブラケット撮影モードがオンに設定されている場合にはＳ８０３に進む。一方、フォーカスブラケット撮影モードがオフに設定されている場合には通常の静止画撮影モードと同様の処理であるために図８のフローチャートの処理を終了する。
【００５２】
Ｓ８０３では、システム制御部５０は新規にフォルダを作成できるか否かを判定する。例えば、システム制御部５０は作成できるフォルダの上限に達しているか否かを最終画像関連情報に含まれるＤＣＦディレクトリ番号に基づいて判定する。上限に達していない場合には新規にフォルダを作成できると判定してＳ８０４に進む。一方、上限に達している場合には新規にフォルダを作成できないと判定してＳ８０５に進む。
Ｓ８０４では、システム制御部５０は表示部１０１に新規のフォルダの作成を指示する指示アイテムをライブビュー画像に重畳して表示する。本実施形態では指示アイテムとしてフォルダ作成ショートカットボタンを表示するものとする。
【００５３】
図９は、撮影待機状態で表示画面９００に表示するフォルダ作成ショートカットボタン９０４の一例を示す図である。
表示画面９００には、ライブビュー画像９０１に重畳して、フォーカスブラケット撮影アイコン９０２、撮影情報アイコン９０３、フォルダ作成ショートカットボタン９０４等が表示される。
フォーカスブラケット撮影アイコン９０２は、フォーカスブラケット撮影モードがオンに設定されていることを示す表示アイテムである。図９に示す表示画面９００では、フォーカスブラケット撮影アイコン９０２に近接して、設定された撮影枚数「１００」が表示されている。
撮影情報アイコン９０３は、設定された撮影情報を表示するための表示アイテムである。図９に示す表示画面９００には、撮影情報アイコン９０３として撮影情報の一つであるＩＳＯ感度が表示されている。
【００５４】
フォルダ作成ショートカットボタン９０４は、フォーカスブラケット撮影において得られる複数の画像をまとめて格納する新規のフォルダを作成するか否かをユーザが指示できるボタンである。ユーザはフォーカスブラケット撮影において得られる複数の画像を既存のフォルダではなく、新規のフォルダに格納したい場合にフォルダ作成ショートカットボタン９０４を選択する。本実施形態のフォルダ作成ショートカットボタン９０４は、タッチパネル１０８を介してユーザが直接、押下できるタッチＧＵＩボタンである。ただし、フォルダ作成ショートカットボタン９０４は、タッチＧＵＩボタンに限られず、ユーザが上下左右の４方向ボタンやＳＥＴボタン等の操作部１０６を介して選択できるように構成してもよい。
【００５５】
Ｓ８０５では、システム制御部５０は表示画面９００に撮影情報をライブビュー画像に重畳して表示する。具体的に、システム制御部５０は、図９に示すような撮影情報アイコン９０３を表示する。ここで、Ｓ８０３からＮｏに分岐してＳ８０５に進んだ場合にはＳ８０４がスキップされることから、システム制御部５０は表示部１０１の表示画面にフォルダ作成ショートカットボタン９０４を表示しない。
なお、Ｓ８０３からＳ８０５に進んだ場合に、ユーザが新規のフォルダを生成できないことを把握できるように、システム制御部５０はフォルダ作成ショートカットボタン９０４を例えばグレーアウトで表示してもよい。更に、システム制御部５０は新規のフォルダを生成できない要因をガイダンスで表示してもよい。
【００５６】
Ｓ８０６では、システム制御部５０は表示画面９００に表示した指示アイテムが選択されたか否かを判定する。具体的には、システム制御部５０はユーザによりタッチパネル１０８を介してフォルダ作成ショートカットボタン９０４が押下されたか否かを判定する。指示アイテムが選択された場合にはＳ８０７に進み、指示アイテムが選択されない場合にはＳ８０８に進む。
【００５７】
Ｓ８０７では、システム制御部５０は新規のフォルダを作成するか否かの確認画面を表示する。具体的に、システム制御部５０は、図６（ｂ）に示すような確認画面６１０を表示する。ここで、システム制御部５０は、図６（ｂ）のメッセージ６１１中に表示するフォルダのＤＣＦディレクトリ番号として、最終画像関連情報に含まれるＤＣＦディレクトリ番号（ＤｉｒＮｕｍ）に１を加算した値を表示する。
【００５８】
Ｓ８０８では、システム制御部５０は格納先フォルダ決定処理を行う。具体的に、システム制御部５０は、図７のフローチャートのＳ７０１からＳ７０８までの処理を行う。すなわち、Ｓ７０１において図６（ｂ）の確認画面６１０によりユーザによるフォルダ作成指示が判定される。フォルダ作成指示がない場合にはＳ７０５において既存フォルダが、フォーカスブラケット撮影により得られる複数の画像を格納する格納先フォルダに決定される。一方、フォルダ作成指示があった場合にはＳ７０８において新規のフォルダが、フォーカスブラケット撮影により得られる複数の画像を格納する格納先フォルダに決定される。
【００５９】
Ｓ８０９では、システム制御部５０は操作部１０６を介してユーザによる撮影指示を受け付けたか否かを判定する。具体的に、システム制御部５０はユーザによりシャッターボタン１０２が全押しされたか否かを判定する。撮影指示を受け付けた場合にはＳ８１０に進み、撮影指示を受け付けていない場合には撮影指示を待機する。
Ｓ８１０では、システム制御部５０は撮影指示に応じてフォーカスブラケット撮影を行う。具体的には、上述したように、システム制御部５０は設定された撮影枚数に到るまで撮影ごとに設定されたステップ幅だけピントをずらして複数の画像を撮影し、撮影した複数の画像を記録媒体１１０に記録する。
【００６０】
Ｓ８１１では、システム制御部５０はフォーカスブラケット撮影により得られた画像を決定した格納先のフォルダに格納する。具体的に、システム制御部５０は、フォルダ作成指示があった場合に格納先フォルダとして決定した新規のフォルダに、フォーカスブラケット撮影により得られた画像を格納する。一方、システム制御部５０は、フォルダ作成指示がなかった場合に格納先フォルダとして決定した既存フォルダに、フォーカスブラケット撮影により得られた画像を格納する。このとき、システム制御部５０はフォーカスブラケット撮影により得られた画像ごとに決定したファイル名を付与し、最後に撮影された画像に基づいて最終画像関連情報を更新する。
【００６１】
Ｓ８１２では、システム制御部５０はフォーカスブラケット撮影モードがオフに設定されたか否かを判定する。フォーカスブラケット撮影モードが継続してオンに設定されている場合にはＳ８１３に進み、フォーカスブラケット撮影モードがオフに設定された場合にはＳ８１４に進む。
Ｓ８１３では、システム制御部５０は次のフォーカスブラケット撮影に備えるために撮影待機状態に遷移してＳ８０３に戻る。したがって、システム制御部５０は再び新規にフォルダを作成できるか否かを判定して、新規にフォルダを作成できる場合にはＳ８０４に進み、再び表示部１０１の表示画面に新規のフォルダの作成を指示する指示アイテムをライブビュー画像に重畳して表示する。このように、新規のフォルダの作成を指示する指示アイテムを表示することで、１回のフォーカスブラケット撮影ごとに、フォーカスブラケット撮影により得られた画像を格納するフォルダを作成するか否かをユーザが選択することができる。
【００６２】
Ｓ８１４では、システム制御部５０はフォーカスブラケット撮影モードを解除して、通常の静止画撮影モード（１回の撮影で１枚の画像を撮影するモード）に設定する。次に、システム制御部５０は、通常の静止画撮影モードで撮影された画像を格納するための新規のフォルダを作成して、図８のフローチャートの処理を終了する。すなわち、システム制御部５０は、フォーカスブラケット撮影により撮影された画像が格納されたフォルダとは別に新規のフォルダを作成する。このとき、システム制御部５０は新規のフォルダのＤＣＦディレクトリ番号を、最終画像関連情報に含まれるＤＣＦディレクトリ番号（ＤｉｒＮｕｍ）に１を加算した値に決定する。
【００６３】
システム制御部５０がＳ８１４において新規のフォルダを作成することで、フォーカスブラケット撮影により得られた画像が格納されたフォルダに、通常の静止画撮影モードで撮影された画像が混在することが防止することができる。なお、Ｓ８１４において、新規のフォルダが作成されるタイミングは、上述したタイミングに限られず、実際に通常の静止画撮影モードで画像が撮影されたタイミングであってもよい。また、システム制御部５０はフォーカスブラケット撮影モードを解除して、ユーザの選択に応じてフォーカスブラケット撮影モード以外の他のモードに設定した場合であっても新規のフォルダを生成してもよい。
【００６４】
図８のフローチャートが終了することによりフォーカスブラケット撮影により得られた画像だけがフォルダに格納される。したがって、フォーカスブラケット撮影により得られた画像を容易に管理することができる。
例えば、ユーザがフォーカスブラケット撮影による画像を確認したい場合には、ユーザによるフォルダ内を確認する操作に応じて、システム制御部５０はフォルダに格納された画像を表示部１０１に表示する。したがって、ユーザは迅速にフォーカスブラケット撮影により得られた画像だけを確認することができる。
また、複数回のフォーカスブラケット撮影により複数のフォルダが存在する場合には、ユーザによるフォルダごとの画像送りの操作に応じて、システム制御部５０はフォルダに格納された画像のうち先頭または後尾の画像をそれぞれ表示する。すなわち、システム制御部５０はフォルダごとの画像送りを行って、先頭または後尾の画像を表示することで、ユーザは容易に複数のフォルダに格納されている画像を把握することができる。
【００６５】
また、ユーザがフォーカスブラケット撮影による画像をまとめて削除したい場合、ユーザがフォルダごとに削除する操作あるいはフォルダ内の画像をまとめて削除する操作に応じて、システム制御部５０はフォルダごとあるいはフォルダ内の全ての画像を削除する。したがって、ユーザは所望するフォーカスブラケット撮影ができなかった場合には容易に画像をまとめて削除することができる。
【００６６】
また、図８のフローチャートにおいて、フォーカスブラケット撮影モードを解除することなく複数回のフォーカスブラケット撮影を行い、１回目（最初）のループで新規のフォルダを作成し、２回目のループでは新規のフォルダを作成しない場合を想定する。この場合、図８のフローチャートによれば、システム制御部５０は２回目のループでフォーカスブラケット撮影により得られた画像も１回目（前回）のループで作成したフォルダに格納する。したがって、試しに行う複数回のフォーカスブラケット撮影による画像と、記録として残すためのフォーカスブラケット撮影による画像とで格納するフォルダを分けることができる。この場合、ユーザはフォルダごと削除する操作をすることで、試しに行った複数回のフォーカスブラケット撮影による画像を一度に削除することができる。
【００６７】
以上、本実施形態によれば、システム制御部５０はフォーカスブラケット撮影モードで撮影を待機している場合に撮影により得られた複数の関連する画像を格納するための新規のフォルダの作成を指示する指示アイテムを、ライブビュー画像に重畳して表示する。ユーザはフォーカスブラケット撮影モードにより撮影された複数の関連する画像をまとめて新規のフォルダに格納したい場合には指示アイテムから指示し、複数の関連する画像を新規のフォルダに格納する必要がない場合には指示アイテムから指示しないようにする。したがって、ユーザは関連する複数の画像を格納するフォルダを必要に応じて、作成する指示を行うことができる。
【００６８】
なお、本実施形態では、画像合成部２０６がフォーカスブラケット撮影により得られた画像を合成して全焦点画像を生成する場合について説明したが、この場合に限られない。例えば、フォーカスブラケット撮影により得られた画像をカメラ１００からパーソナルＰＣ等の情報処理装置に転送し、情報処理装置の制御部がプログラムを実行することにより画像を合成して全焦点画像を生成してもよい。このとき、フォーカスブラケット撮影により得られた画像が格納されたフォルダごと情報処理装置に転送されることで、情報処理装置の制御部あるいは情報処理装置のユーザは全焦点画像を生成するための画像を容易に選択することができる。
【００６９】
また、本実施形態では、複数の関連する画像を撮影する特定のモードが、フォーカスブラケット撮影モードである場合について説明したが、この場合に限られない。特定のモードは、例えば、カメラ１００を一方向にスイングしながら撮影した複数の画像を後工程で合成するパノラマ画像を撮影するためのパノラマ撮影モードであってもよく、複数枚を連続撮影する連続撮影モード等であってもよい。
また、本実施形態では、図３（ｂ）の詳細設定画面３１０において、新規のフォルダを作成することを推奨するガイダンス３１１を表示する場合について説明したが、この場合に限られない。例えば、システム制御部５０は図９に示す撮影待機状態の表示画面９００において、フォルダ作成ショートカットボタン９０４に近接して新規のフォルダを作成することを推奨する表示をしてもよい。
【００７０】
（他の実施形態）
本発明は、以下の処理を実行することによっても実現される。すなわち、上述した実施形態の機能を実現するプログラムをネットワークまたは各種記録媒体を介してシステムまたは装置に供給し、そのシステムまたは装置のコンピュータ（ＣＰＵやＭＰＵ等）がプログラムコードを読み出して実行する処理である。この場合、該プログラムおよび該プログラムを格納した記録媒体は本発明を構成する。
【００７１】
以上、本発明を種々の実施形態と共に説明したが、本発明はこれらの実施形態にのみ限定されるものではなく、本発明の範囲内で変更等が可能であり、上述した実施形態を適時組み合わせてもよい。
なお、システム制御部５０が行うものとして説明した上述の各種制御は１つのハードウェアが行ってもよいし、複数のハードウェア（例えば、複数のプロセッサーや回路）が処理を分担することで、装置全体の制御を行ってもよい。
【００７２】
また、上述した実施形態では、本発明を撮像装置に適用する場合について説明したが、この場合に限られず、ライブビュー画像を表示できる装置であれば適用可能である。すなわち、本発明は、スマートフォン、タブレットＰＣ、携帯型のパーソナルコンピュータ、ＰＤＡ、携帯型の画像ビューワ、デジタルフォトフレーム、音楽プレーヤー、ゲーム機、電子ブックリーダ等に適用可能である。
また、上述した実施形態では、本発明を撮像装置本体に適用する場合について説明したが、この場合に限られず、有線または無線通信を介して撮像装置（ネットワークカメラを含む）と通信し、撮像装置を遠隔で制御する制御装置にも適用可能である。撮像装置を遠隔で制御する装置としては、例えば、スマートフォン、タブレットＰＣ、デスクトップＰＣ等の装置である。制御装置側で行われた操作や制御装置側で行われた処理に基づいて、制御装置側から撮像装置に各種動作や設定を行わせるコマンドを通知することにより、撮像装置を遠隔から制御可能である。また、撮像装置で撮影したライブビュー画像を有線または無線通信を介して受信して制御装置側で表示できるようにしてもよい。
【符号の説明】
【００７３】
１００：カメラ  １０１：表示部  １０２：シャッタースイッチ  １０６：操作部  １０８：タッチパネル  ２０２：撮像部  ２０５：画像処理部  ２０６：画像合成部  ９０１：ライブビュー画像  ９０４：フォルダ作成ショートカットボタン（指示アイテム）  ５０：システム制御部
【図１】
2020113913.tif 000003
【図２】
2020113913.tif 000004
【図３】
2020113913.tif 000005
【図４】
2020113913.tif 000006
【図５】
2020113913.tif 000007
【図６】
2020113913.tif 000008
【図７】
2020113913.tif 000009
【図８】
2020113913.tif 000010
【図９】
2020113913.tif 000011